(57)【特許請求の範囲】
【請求項１】
立体トラス状構造の保持部材に、山部、谷部を有する板状の外装材を敷設する外装構造において、
前記外装材は、少なくとも１つの谷部と、谷部端から立ち上がる左右の立ち上げ部を形成すると共に、前記右立ち上げ部には上弦材に嵌合・係止可能な略円弧状の右嵌合部を、前記左立ち上げ部には上弦材に嵌合・係止可能な略円弧状の左嵌合部を、それぞれ備え、
前記保持部材は、外装材の長手方向に連続し、且つ、左右の棒状の斜材上端間に固定された上弦材保持部材の保持部に棒状の上弦材が貫通状態に保持固定され、左側の斜材下端と棒状の水平材左端間に固定された下弦材保持部材の保持部に左側の棒状の下弦材が貫通状態に保持固定され、右側の斜材下端と水平材右端間に固定された下弦材保持部材の保持部に右側の棒状の下弦材が貫通状態に保持固定されている立体トラス状構造であり、
この保持部材における前記上弦材に前記した隣接する左右の外装材の右嵌合部と左嵌合部を嵌合・係止状態に保持してあることを特徴とする外装構造。
【請求項２】
斜材が外装材の立ち上げ部に沿接していることを特徴とする請求項１記載の外装構造。
【請求項３】
外装材と保持部材を単位面積毎に組み付けたユニットからなることを特徴とする請求項１または２記載の外装構造。
【発明の詳細な説明】
【０００１】
【発明の属する技術分野】
本発明は屋根や外壁を構築するのに有用な外装構造に関する。
【０００２】
【従来の技術】
多種ある屋根葺き形式の中で、折板形式は、優れた断面性能を有することから、大スパンに対応するものとして採用されている。
しかし、折板形式においても通常５ｍ前後のスパンを想定しているため、スパンが１０ｍを越えるような超大スパンの場合には、さらに断面性能を上げるために、板厚を厚くしたり、外装材自体を大型化しなければならず、その結果、材料費、加工費等の増加が避けられない。
また、板厚を厚くしたり、外装材を大型化することは、成型機の制限や、原板（板幅等）の制限を受けるため、容易に行えるものではなかった。
【０００３】
【発明が解決しようとする課題】
解決しようとする課題は、第１には、超大スパンの外装需要に対しても、外装材の仕様について板厚を厚くしたりする等の大型化をせずに構築可能であると共に、製作費等の経済的負担が少なくて済む外装構造を、第２には、さらに、外装面における正圧作用時の面強度が高い外装構造を、第３には、さらに、現場での施工効率が高い外装構造を提供することにある。
【０００４】
【課題を解決するための手段】
本発明は前記した課題を達成するため、立体トラス状構造の保持部材に、山部、谷部を有する板状の外装材を敷設する外装構造において、前記外装材は、少なくとも１つの谷部と、谷部端から立ち上がる左右の立ち上げ部を形成すると共に、前記右立ち上げ部には上弦材に嵌合・係止可能な略円弧状の右嵌合部を、前記左立ち上げ部には上弦材に嵌合・係止可能な略円弧状の左嵌合部を、それぞれ備え、前記保持部材は、外装材の長手方向に連続し、且つ、左右の棒状の斜材上端間に固定された上弦材保持部材の保持部に棒状の上弦材が貫通状態に保持固定され、左側の斜材下端と棒状の水平材左端間に固定された下弦材保持部材の保持部に左側の棒状の下弦材が貫通状態に保持固定され、右側の斜材下端と水平材右端間に固定された下弦材保持部材の保持部に右側の棒状の下弦材が貫通状態に保持固定されている立体トラス状構造であり、この保持部材における前記上弦材に前記した隣接する左右の外装材の右嵌合部と左嵌合部を嵌合・係止状態に保持してあることを特徴とする。
また本発明では、斜材が外装材の立ち上げ部に沿接していることを特徴とする。
また本発明では、外装材と保持部材を単位面積毎に組み付けたユニットからなることを特徴とする。
【０００５】
本発明における保持部材のトラス状構造は、例えば図示するように丸パイプをトラス状構造としたものからなるが、公知の立体トラス或いはトラス状を構成する部材であれば材質、形状、構造は特に問わない。このトラス状構造は、外装材を保持すると共に、外装材を長手方向にわたって支持するものになる。
上弦材は、丸パイプ等の部材の単体からなる。
斜材は、トラス状構造の断面視において「斜め」に配される部材であって、側面視では、鉛直状でも斜め状でも良い。また、斜め材は、外装材の立ち上げ部に沿接して下側から支えるようにしても良いし、そうでなくても良い。
外装材は山部と谷部を有する板状のもので、この外装材の成形部は、上弦材に嵌合・係止する形状になる。この外装材の成形部は、隣り合う成形部が少なくとも互いに嵌合・係止する形状、構造であることが好ましい。
【０００６】
【発明の実施の形態】
図１〜図４には本発明の外装構造における実施の１形態として、折板屋根構造を例示しており、折板１０の長手方向に連続する保持部材１は、長手方向に沿う上弦材２と左右の下弦材３が三角形の各隅に位置するように、各材間に架設されて長手方向に等間隔状に並ぶ左右の斜材４および水平材５で組み立てられている立体トラス状構造のもので、左右の斜材４上端の扁平状上端部４ａは、両端部４ａ間に上弦材保持部材６の脚部６ａが介在した左右重合状態にボルト７およびナット８で接続固定され、この上弦材保持部材６の保持部６ｂには丸パイプ製上弦材２が貫通状態に保持固定されている。
また、左側の斜材４下端の扁平状下端部４ｂと水平材５左端の扁平状左端部５ａは、両端部４ｂ、５ａ間に下弦材保持部材９の脚部９ａが介在した上下重合状態にボルト７およびナット８で接続固定され、この下弦材保持部材９の保持部９ｂには左側の丸パイプ製下弦材３が貫通状態に保持固定されている。
同様に、右側の斜材４下端の扁平状下端部４ｂと水平材５右端の扁平状右端部５ｂは、両端部４ｂ、５ｂ間に下弦材保持部材９の脚部９ａが介在した上下重合状態にボルト７およびナット８で接続固定され、この下弦材保持部材９の保持部９ｂには右側の丸パイプ製下弦材３が貫通状態に保持固定されている。
【０００７】
そして、共通の下弦材３を経て左右に隣り合う保持部材１の上弦材２には、隣接する左右の折板１０の右嵌合部１０ｅと左嵌合部１０ｆが嵌合・係止状態に保持されている。
谷部１０ａと山部１０ｂを長手方向に有する折板１０は、谷部１０ａの左右側縁から外側斜め上向きに立ち上がる左右の立ち上げ部１０ｃ、１０ｄを形成している。右立ち上げ部１０ｃ先端には右嵌合部１０ｅを上弦材２が貫通している保持部６ｂに対して着脱自在に嵌合・係止可能な二分の一強の半円状の断面略円弧状に形成し、左立ち上げ部１０ｄ先端には左嵌合部１０ｆを保持部６ｂに対して嵌合状の右嵌合部１０ｅ上から着脱自在に嵌合・係止可能な四分の三円状の断面略円弧状に形成してある。また、左嵌合部１０ｆ先端には摘み部１０ｇを突設することで、保持部６ｂに対する左嵌合部１０ｆの着脱操作をし易くしてある。また、折板１０の裏面には断熱材１１を貼着してある。
かかる折板１０の右嵌合部１０ｅは、長手方向に沿い左右並列状の右側の保持部材１における保持部６ｂに対して弾性的に嵌合・係止されて取り付けられている一方で、左嵌合部１０ｆは左側の保持部材１における保持部６ｂに対して同材に弾性・嵌合している右嵌合部１０ｅ上から弾性的に嵌合・係止されて取り付けられて、それぞれ保持部６ｂに保持されている。また、保持部６ｂと左右の嵌合部１０ｅ、１０ｆとの嵌合・係止部分はシールされて雨仕舞されている。
【０００８】
前記した態様は実施の一例を示しているに過ぎず、例えば、図１の態様のもので、左右の立ち上げ部１０ｃ、１０ｄが斜材４に支持されるように、立ち上げ部１０ｃ、１０ｄの形態を成形しても良いし、或いは、断熱材１１を厚くして斜材４に支持されるようにしても良い。さらに、図示していないが、図１の態様のもので、共通の下弦材３を経て左右連結状の保持部材１と、この左右の保持部材１における上弦材２間に保持された折板１０とをワンセットとしてユニット化した態様にしても良い。
また、斜材４と上弦材保持部材６との接続関係、斜材４および水平材５と下弦材保持部材９との接続関係は、一対一の関係にしても良いし、図示しているように、複数対一の接続関係であっても良い。
また、保持部材１の組み付けについて、図１の態様のものでは、角の上弦材保持部材６、下弦材保持部材９を経て斜材４と水平材５が接続されているトライアングル状の梁部材１４にしてあることにより、上弦材２に上弦材保持部材６を、下弦材３に下弦材保持部材９を、それぞれ通すことで、保持部材１として組み付けられ、現場での組み付け作業性が効率良くなる。
【０００９】
【発明の効果】
Ａ．請求項１により、保持部材を立体トラス状構造とすることで、負圧、正圧に対する強度が増すと共に、保持部材が外装材の成形部裏面に連続して位置するため、外装材が連続的に保持される。
これにより、超大スパンの外装需要に対しても、外装材の仕様について板厚を厚くしたりする等の大型化をせずに構築可能であると共に、製作費等の経済的負担が少なくて済む。
Ｂ．請求項２により、さらに、立体トラス状構造における斜め材が外装材の立ち上がり部を複数箇所で支持することになって、正圧作用時の強度が増し、外装面における正圧作用時の面強度が高い。
Ｃ．請求項３により、さらに、現場での施工効率が高い。
【図面の簡単な説明】
【図１】  本発明の外装構造における実施の１形態を例示している縦断面図。
【図２】  分解して示す部分拡大縦断面図。
【図３】  保持部材の側面図。
【図４】  保持部材の概略を示す斜視図。
【符号の説明】
１  保持部材
２  上弦材
３  下弦材
４  斜材
４ａ  扁平状上端部
４ｂ  扁平状下端部
５  水平材
５ａ  扁平状左端部
５ｂ  扁平状右端部
６  上弦材保持部材
６ａ  脚部
６ｂ  保持部
７  ボルト
８  ナット
９  下弦材保持部材
９ａ  脚部
９ｂ  保持部
１０  折板（外装材）
１０ａ  谷部
１０ｂ  山部
１０ｃ  右立ち上げ部
１０ｄ  左立ち上げ部
１０ｅ  右嵌合部（成形部）
１０ｆ  左嵌合部（成形部）
１０ｇ  摘み部
１１  断熱材
１４  梁部材
【図１】
0003790725.tif 000002
【図２】
0003790725.tif 000003
【図３】
0003790725.tif 000004
【図４】
0003790725.tif 000005